【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
ネットワークを介して外部機器と通信可能な画像データ管理装置であって、
前記外部機器からの要求に応じて当該外部機器に画像データを送信する第１のサービスを提供するサービス提供手段と、
前記画像データ管理装置から送信された画像データを処理する第２のサービスを提供する機能を有する外部機器を検索するサービス検索手段と、
前記サービス検索手段により検索された外部機器により前記第２のサービスが提供されるように、当該外部機器を制御するサービス制御手段と、
前記サービス検索手段が検索した結果に基づいて、前記サービス制御手段をアクティブにせず前記サービス提供手段をアクティブにする第１のモードと、前記サービス制御手段をアクティブにするとともに前記サービス提供手段をアクティブにする第２のモードと、前記サービス制御手段をアクティブにし前記サービス提供手段をアクティブにしない第３のモードとのうちのいずれかのモードに切り替える切り替え手段と、
を有することを特徴とする画像データ管理装置。
【請求項２】
前記切り替え手段は、前記第２のサービスを提供する機能を有する外部機器が存在しないことを前記サービス検索手段が検知した場合に前記第１のモードに切り替え、前記第２のサービスを提供する機能を有する外部機器が存在することを前記サービス検索手段が検知した場合に前記第２のモード又は前記第３のモードに切り替える
ことを特徴とする請求項１に記載の画像データ管理装置。
【請求項３】
ユーザーから指示を受け付ける操作部をさらに有し、
前記外部機器から提供される前記第２のサービスを利用する場合、
前記操作部は、画像ファイルの表示指示を受け付け、
前記サービス制御手段は、前記画像ファイルの表示指示に基づいて、前記外部機器で表示するための画像ファイルを前記ネットワーク経由で前記外部機器へ送信するよう制御する
ことを特徴とする請求項１又は２に記載の画像データ管理装置。
【請求項４】
ユーザーから指示を受け付ける操作部をさらに有し、
前記外部機器から提供される前記第２のサービスを利用する場合、
前記操作部は、画像ファイルの印刷指示を受け付け、
前記サービス制御手段は、前記外部機器が前記画像ファイルを印刷するように、前記画像ファイル及び前記画像ファイルの印刷指示を前記ネットワーク経由で前記外部機器へ送信するよう制御する
ことを特徴とする請求項１又は２に記載の画像データ管理装置。
【請求項５】
ユーザーからの操作を受け付ける操作部をさらに有し、
前記第２のモードにおいて前記操作部により操作が受け付けられた場合には、前記サービス制御手段による前記外部機器の制御を行い、前記第１のモードにおいて前記操作部により操作が受け付けられた場合には、前記切り替え手段による前記第２のモードへの切り替えを行う
ことを特徴とする請求項１乃至４のいずれか１項に記載の画像データ管理装置。
【請求項６】
ユーザーからの操作を受け付ける操作部と、
前記第１のモードにおいて、前記第２のサービスを提供する機能を有する外部機器が新たに検索された場合に、前記第２のモードに切り替えることが可能であることを報知する報知手段と、
を更に有することを特徴とする請求項１乃至５のいずれか１項に記載の画像データ管理装置。
【請求項７】
前記１又は２以上の外部機器のうちのいずれかの外部機器の前記ネットワークへの接続が切断されたことを検知する検知手段を更に有し、
前記第２のモードにおいて、前記第２のサービスを提供する機能を有する外部機器の前記ネットワークへの接続が切断されたことを前記検知手段が検知した場合、前記切り替え手段は、前記第２のモードを前記第１のモードに切り替える
ことを特徴とする請求項１乃至６のいずれか１項に記載の画像データ管理装置。
【請求項８】
ネットワークを介して外部機器と通信可能な画像データ管理装置であって、
前記外部機器からの要求に応じて当該外部機器に画像データを送信する第１のサービスを提供するサービス提供手段と、
前記画像データ管理装置から送信された画像データを処理する第２のサービスを提供する機能を有する外部機器を検索するサービス検索手段と、
前記サービス検索手段により検索された外部機器により前記第２のサービスが提供されるように、当該外部機器を制御するサービス制御手段と、
前記サービス検索手段が検索した結果に基づいて、前記サービス制御手段をアクティブにしない第１のモードと、前記サービス制御手段をアクティブにする第２のモードとのうちのいずれかのモードに切り替える切り替え手段と、
を有することを特徴とする画像データ管理装置。
【請求項９】
ネットワークを介して外部機器と通信可能な画像データ管理装置の制御方法であって、
サービス提供手段が、前記外部機器からの要求に応じて当該外部機器に画像データを送信する第１のサービスを提供するサービス提供ステップと、
サービス検索手段が、前記画像データ管理装置から送信された画像データを処理する第２のサービスを提供する機能を有する外部機器を検索するサービス検索ステップと、
サービス制御手段が、前記サービス検索ステップで検索された外部機器により前記第２のサービスが提供されるように、当該外部機器を制御するサービス制御ステップと、
切り替え手段が、前記サービス検索ステップでの検索結果に基づいて、前記サービス制御手段をアクティブにしない第１のモードと、前記サービス制御手段をアクティブにする第２のモードとのうちのいずれかのモードに切り替える切り替えステップと、
を有することを特徴とする画像データ管理装置の制御方法。
【請求項１０】
ネットワークを介して外部機器と通信可能な画像データ管理装置の制御方法であって、
サービス提供手段が、前記外部機器からの要求に応じて当該外部機器に画像データを送信する第１のサービスを提供するサービス提供ステップと、
サービス検索手段が、前記画像データ管理装置から送信された画像データを処理する第２のサービスを提供する機能を有する外部機器を検索するサービス検索ステップと、
サービス制御手段が、前記サービス検索ステップで検索された外部機器により前記第２のサービスが提供されるように、当該外部機器を制御するサービス制御ステップと、
切り替え手段が、前記サービス検索ステップでの検索結果に基づいて、前記サービス制御手段をアクティブにせず前記サービス提供手段をアクティブにする第１のモードと、前記サービス制御手段をアクティブにするとともに前記サービス提供手段をアクティブにする第２のモードと、前記サービス提供手段をアクティブにし前記サービス提供手段をアクティブにしない第３のモードとのうちのいずれかのモードに切り替える切り替えステップと、
を有することを特徴とする画像データ管理装置の制御方法。
【請求項１１】
コンピュータを、請求項１乃至８のいずれか１項に記載の画像データ管理装置が有する各手段として機能させるための画像管理プログラム。
【手続補正２】
【補正対象書類名】明細書
【補正対象項目名】００１０
【補正方法】変更
【補正の内容】
【００１０】
本発明の第１側面は、ネットワークを介して外部機器と通信可能な画像データ管理装置に係り、前記外部機器からの要求に応じて当該外部機器に画像データを送信する第１のサービスを提供するサービス提供手段と、前記画像データ管理装置から送信された画像データを処理する第２のサービスを提供する機能を有する外部機器を検索するサービス検索手段と、前記前記サービス検索手段により検索された外部機器により前記第２のサービスが提供されるように、当該外部機器を制御するサービス制御手段と、前記サービス検索手段が検索した結果に基づいて、前記サービス制御手段をアクティブにせず前記サービス提供手段をアクティブにする第１のモードと、前記サービス制御手段をアクティブにするとともに前記サービス提供手段をアクティブにする第２のモードと、前記サービス制御手段をアクティブにし前記サービス提供手段をアクティブにしない第３のモードとのうちのいずれかのモードに切り替える切り替え手段とを有することを特徴とする。
【手続補正３】
【補正対象書類名】明細書
【補正対象項目名】００１１
【補正方法】変更
【補正の内容】
【００１１】
本発明の第２側面は、ネットワークを介して外部機器と通信可能な画像データ管理装置の制御方法に係り、サービス提供手段が、前記外部機器からの要求に応じて当該外部機器に画像データを送信する第１のサービスを提供するサービス提供ステップと、サービス検索手段が、前記画像データ管理装置から送信された画像データを処理する第２のサービスを提供する機能を有する外部機器を検索するサービス検索ステップと、サービス制御手段が、前記サービス検索ステップで検索された外部機器により前記第２のサービスが提供されるように、当該外部機器を制御するサービス制御ステップと、切り替え手段が、前記サービス検索ステップでの検索結果に基づいて、前記サービス制御手段をアクティブにせず前記サービス提供手段をアクティブにする第１のモードと、前記サービス制御手段をアクティブにするとともに前記サービス提供手段をアクティブにする第２のモードと、前記サービス提供手段をアクティブにし前記サービス提供手段をアクティブにしない第３のモードとのうちのいずれかのモードに切り替える切り替えステップとを有することを特徴とする。
【手続補正４】
【補正対象書類名】明細書
【補正対象項目名】００１２
【補正方法】削除
【補正の内容】